(57)【要約】【課題】使用状況、配置位置の雰囲気に合わせて外装を変更可能な包装袋を提供する。【解決手段】前面シート１００は、基材層１１と、基材層１１よりも内側に配置される熱接着性樹脂層１６と、を備える。前面シート１００は、基材層１１を含む第１積層体１０１と、熱接着性樹脂層１６を含む第２積層体１０２とを分離可能に保持する剥離層１３を備える。第１積層体１０１は、第１図柄Ｐｔ１が形成された第１印刷層１２を含み、第２積層体１０２は、第２図柄Ｐｔ２が形成された第２印刷層１５を含む。第１積層体１０１が第２積層体１０２から取り外されたとき、第１印刷層１２は第１積層体１０１に残留し、第２印刷層１５は第２積層体１０２に残留する。【選択図】図２
2020083418.tif 000002
【特許請求の範囲】
【請求項１】
前面シートと背面シートとを重ねて周縁を熱接着した包装袋であって、
前記前面シート及び前記背面シートは、基材層と、前記基材層よりも内側に配置される熱接着性樹脂層と、を備え、
前記前面シート及び前記背面シートのすくなくとも一方は、前記基材層を含む第１積層体と、前記熱接着性樹脂層を含む第２積層体とを分離可能に保持する剥離層を備え、
前記第１積層体は第１図柄が形成された第１印刷層を含み、前記第２積層体は第２図柄が形成された第２印刷層を含み、
前記第１積層体が前記第２積層体から取り外されたとき、前記第１印刷層は前記第１積層体に残留し、前記第２印刷層は前記第２積層体に残留する包装袋。
【請求項２】
前記剥離層と前記熱接着性樹脂層との間または前記剥離層と前記基材層との間に積層された中間層をさらに備え、
前記中間層には、前記中間層を上下に分割する切断線が形成されている請求項１に記載の包装袋。
【請求項３】
前記第１積層体が前記第２積層体から取り外されたとき、前記剥離層は前記第１積層体または前記第２積層体の一方に残留する請求項１または請求項２に記載の包装袋。
【請求項４】
前記第１積層体が前記第２積層体から取り外されたとき、前記剥離層の一部は前記第１積層体に残留し、残りは前記第２積層体に残留する請求項１または請求項２に記載の包装袋。
【請求項５】
前記第１図柄は、前記第２図柄の少なくとも一部を隠す請求項１から請求項４のいずれかに記載の包装袋。
【請求項６】
前記第１図柄は、少なくとも一部が内側を視認可能な視認可能部を備え、
前記第１図柄と前記第２図柄とを重ねて第３図柄を構成する請求項５に記載の包装袋。
【請求項７】
前記第１図柄は、前記視認可能部として透明な窓部を備える請求項６に記載の包装袋。
【請求項８】
開封後にリクローズ可能である請求項１から請求項７のいずれかに記載の包装袋。
【請求項９】
請求項１から請求項８のいずれかに記載の包装袋の使用方法において、
前記第１積層体を前記第２積層体から取り外して前記第２図柄が視認可能な状態に変更する包装袋の使用方法。
【請求項１０】
開封時に前記第１積層体の一部または全部が前記第２積層体から取り外される請求項９に記載の包装袋の使用方法。
【発明の詳細な説明】
【技術分野】
【０００１】
本発明は、内部に物品を収容する包装袋に関する。
【背景技術】
【０００２】
例えば、特開２０１６−１４１４６９号公報には、収容物を収容して包装する包装袋が開示されている。例えば、店舗で収容物を販売する場合において、収容物は包装袋で包装された状態で、販売棚等に並べられた状態で販売される。
【０００３】
包装袋は、購入者の収容物に対する理解を容易にするために、正面側および背面側に、文字図柄として、例えば、商品の使用状態の画像、商品の名称、製造元、製造国名、バーコード、説明書き、効能書き、成分表示等が表示されることが多い。すなわち、正面側および背面側の文字図柄は、購入者に対して商品を紹介するための文字および図柄であることが多い。
【先行技術文献】
【特許文献】
【０００４】
【特許文献１】特開２０１６−１４１４６９号公報
【発明の概要】
【発明が解決しようとする課題】
【０００５】
包装袋の正面側および背面側に配置された文字図柄は、他の競合商品に対して購入者の目につきやすい画像、バーコード、成分表示等の管理上必要な図柄、文字等である。そのため、外見が、購入者の居室や持ち物とマッチしない場合がある。
【０００６】
また、包装袋は、サプリメント、常備薬等を収容する場合もある。サプリメント、常備薬等は、外出時に摂取することがある。摂取しているサプリメントや薬品の名称を他人に知られたくない場合でも、上述したような包装袋の図柄、文字等から他人に知られてしまう虞がある。
【０００７】
このような場合、購入者は、包装袋に収容されている収容物を取出し、別途用意した容器に移し替えて使用することがあるが、移し替えに手間がかかる。
【０００８】
本発明は、使用状況、配置位置の雰囲気に合わせて外装を変更可能な包装袋を提供することを目的とする。
【０００９】
本発明は、容易に外装を変更可能な包装袋の使用方法を提供することを目的とする。
【課題を解決するための手段】
【００１０】
上記目的を達成するために本発明の包装袋は、前面シートと背面シートとを重ねて周縁を熱接着し、前記前面シート及び前記背面シートは、基材層と、前記基材層よりも内側に配置される熱接着性樹脂層と、を備える。前記前面シート及び前記背面シートのすくなくとも一方は、前記基材層を含む第１積層体と、前記熱接着性樹脂層を含む第２積層体とを分離可能に保持する剥離層を備える。前記第１積層体は、第１図柄が形成された第１印刷層を含み、前記第２積層体は、第２図柄が形成された第２印刷層を含む。そして、前記第１積層体が前記第２積層体から分離されたとき、前記第１印刷層は前記第１積層体に残留し、前記第２印刷層は前記第２積層体に残留する。
【００１１】
この構成によると、包装袋は、第１積層体があるときに外部から第１図柄が視認可能であり、第１積層体を取り外すと外部から第２図柄を視認可能となる。すなわち、第１積層体を取り外すか否かで、包装袋の外層の図柄を、第１図柄または第２図柄とすることが可能である。使用者は、必要に応じて第１積層体を取り外すか残すかすることで、包装袋の外装を第１図柄および第２図柄から選択することが可能である。包装袋は、例えば、販売時には、他の商品との区別するための情報を含む目立つ第１図柄を外装とすることができる。また、購入後に使用する場合には、周囲の雰囲気に融け込むような落ち付いた第２図柄を外装とすることができる。
【００１２】
これにより、包装袋の外装を、使用される（配置される）場所に応じて、異なる図柄の外装とすることができる。包装袋は、その場の雰囲気に合わせて外装を変更することが可能であり、使用者の利便性を高めることができる。
【００１３】
上記構成において、前記剥離層と前記熱接着性樹脂層との間に積層された中間層をさらに備え、前記中間層には、前記中間層を上下に分割する切断線が形成されていてもよい。このように構成することで、中間層の切断線より上方と下方とを前後に引きはがすようにひねることで、中間層と接着されている層に切断線に沿ってせん断応力が発生する。中間層と接着されている層は、切断線に沿って切断される。また、中間層と接着されない剥離層は、このせん断応力によって、剥離層が中間層から剥離される。これにより、剥離層を中間層から容易に剥離できる。
【００１４】
上記構成において、前記第１積層体が前記第２積層体から取り外されたとき、前記剥離層は前記第１積層体または前記第２積層体の一方に残留してよい。
【００１５】
上記構成において、前記第１積層体が前記第２積層体から取り外されたとき、前記剥離層の一部は前記第１積層体に残留し、残りは前記第２積層体に残留してもよい。
【００１６】
上記構成において、前記第１図柄は、前記第２図柄の少なくとも一部を隠してもよい。
【００１７】
上記構成において、前記第１図柄は、少なくとも一部が内側を視認可能な視認可能部を備え、前記第１図柄と前記第２図柄とを重ねて第３図柄を構成してもよい。このように構成することで、使用するときと場所によって、外部に表示する情報を取捨選択することが可能である。これにより、使用者の利便性を高めることが可能である。
【００１８】
上記構成において、前記第１図柄は、前記視認可能部として透明な窓部を備えてもよい。
【００１９】
上記構成において、開封後にリクローズ可能であってもよい。
【００２０】
上記目的を達成するために本発明の包装袋の使用方法は、前記第１積層体を前記第２積層体から取り外して前記第２図柄が視認可能な状態に変更してもよい。
【００２１】
上記構成において、開封時に前記第１積層体の一部または全部が前記第２積層体から取り外されてもよい。このようにすることで、第１積層体を第２積層体から取り外す手間を省くことができる。また、外部から視認可能な図柄によって、既開封か未開封かを判断できる。
【発明の効果】
【００２２】
本発明の包装袋によると、使用状況、配置位置の雰囲気に合わせて外装を変更できる。
【００２３】
本発明の包装袋の使用方法によると、外装の変更が容易である。
【図面の簡単な説明】
【００２４】
【図１】本発明にかかる包装袋の一例の正面図である。
【図２】図１に示す包装袋の前面部を構成する前面シートの断面図である。
【図３】図１に示す包装袋の背面部を構成する背面シートの断面図である。
【図４】本発明にかかる包装袋の正面図である。
【図５】本発明にかかる包装袋の第１積層体が取り外されている途中の状態を示す正面図である。
【図６】本発明にかかる包装袋から第１積層体を取り外した状態を示す正面図である。
【図７】発明にかかる包装袋の他の例の正面図である。
【図８】本発明にかかる包装袋の他の例の第１積層体を取り外した状態を示す正面図である。
【発明を実施するための形態】
【００２５】
＜第１実施形態＞
以下に図面を参照して本発明の実施形態を説明する。図１は、本発明にかかる包装袋１の一例の正面図である。図２は、図１に示す包装袋１の前面部５を構成する前面シート１００の断面図である。図３は、図１に示す包装袋１の背面部６を構成する背面シート２００の断面図である。なお、「上」、「下」、「左」、「右」は、図１に示す状態を基準とする。また、「前」は図１において紙面手前とし、「後」は図１において紙面奥とする。すなわち、図１に示す包装袋１において、前面部５は紙面手前側であり、前面部５の後に位置する背面部６は紙面奥側である。また、図１に示す包装袋１では、熱接着部３１をハッチングで示している。
【００２６】
＜包装袋１について＞
図１に示すように、包装袋１は所謂スタンディングパウチにより形成され、袋本体２及びチャック部材３を有する。チャック部材３は樹脂により形成され、袋本体２の上部の内面に接着される。
【００２７】
袋本体２は、前面部５、背面部６及び底面部８を有する。袋本体２の周縁には前面部５を構成する前面シート１００の熱接着性樹脂層１６（図２参照）と、背面部６を構成する背面シート２００の内面に配置した熱接着性樹脂層２４（図３参照）とを接触させて熱接着して形成された熱接着部３１が配置される。
【００２８】
前面部５と背面部６とは互いに対向して側端上部及び上端部を熱接着部３１で接着される。底面部８は背面シート２００を二つ折りして前面部５の下部と背面部６の下部との間に挟まれ、前面部５及び背面部６の側端下部及び下端部に熱接着部３１で熱接着される。なお、袋本体２の上端部は開放され、収容物Ｓを収容後に熱接着部３１により熱接着される。
【００２９】
袋本体２のチャック部材３の下方には収容物Ｓを収容する収容部４が形成される。チャック部材３の開閉により収容部４の上面が開閉される。なお、収容物Ｓは、例えば、収容物Ｓは、食品、調味料、サプリメント、薬品、殺虫剤等を挙げることができるが、これらに限定されない。
【００３０】
包装袋１では、上端の開口よりも下側に、チャック部材３が配置される。チャック部材３は、従来周知の構成であり、前面部５及び背面部６それぞれの上端部を前後に引くことで、開く。また、チャック部材３の前面部５側と背面部６側の部分を、前後に重ね、外部から押圧することで、チャック部材３は、閉じられる。そのため、包装袋１は、一度開封した後でも、収容物Ｓを収容部４の内部に、収容可能である。すなわち、包装袋１は、チャック部材３を備えることで、開封後も閉鎖可能、つまり、リクローズ可能である。
【００３１】
チャック部材３よりも上方の袋本体２の両側縁の熱接着部３１上には曲線状のノッチ部３２が形成される。また、前面部５及び背面部６のチャック部材３の上方には左右方向に延びるハーフカット線から成る切断部７が形成される。なお、ノッチ部３２の形状は曲面状に限定されず、Ｖ字状、Ｕ字状およびホームベース形状等でもよい。
【００３２】
使用者は、熱接着部３１のノッチ部３２の上下をそれぞれ摘持する。そして、上部と下部を摘持した手を前後に動かすことで、前面部５及び背面部６はそれぞれの切断部７に沿って引裂かれ、亀裂が形成される。そして、亀裂が伸展することで、包装袋１に開口が形成される。なお、ノッチ部３２よりも上方を手前に引っ張るように引裂くものとする。引裂き方については、包装袋１の前面部５または背面部６に表示してもよい。
【００３３】
＜前面シート１００および背面シート２００について＞
次に、前面シート１００および背面シート２００の詳細について説明する。図２に示すように、前面部５を構成する前面シート１００は袋本体２の外側から内側に向かって順に基材層１１、第１印刷層１２、剥離層１３、中間層１４、第２印刷層１５、熱接着性樹脂層１６を積層して形成される。基材層１１の内側には第１印刷層１２が形成されており、接着層１７を介して剥離層１３と接着される。さらに、中間層１４の内側には第２印刷層１５が形成されており、接着層１８を介して熱接着性樹脂層１６と接着される。
【００３４】
基材層１１は例えば厚さ約９〜２５μｍの二軸延伸ポリエチレンテレフタレート（ＰＥＴ）フィルムにより形成される。なお、基材層１１として、例えば、一軸または二軸に延伸したポリプロピレン（ＯＰＰ）フィルム、延伸ナイロン（ＯＮＹ）フィルム等の熱可塑性樹脂を用いることができる。
【００３５】
基材層１１の内面の所定位置には図柄等を印刷する第１印刷層１２が形成される。第１印刷層１２は基材層１１の内面の所定位置に配置したインキにより厚さ約１〜５μｍに形成される。基材層１１は透明であり、第１印刷層１２は外から視認される。そのため、第１印刷層１２には、基材層１１の外から見て認識できる図柄が形成される。なお、第１印刷層１２に印刷される図柄等は、収容物Ｓの成分表示、商品の名称、画像等を挙げることができるが、これに限定されない。なお、第１印刷層１２は、基材層１１の上面（外側）に設けられてもよいが、第１印刷層１２を基材層１１と剥離層１３との間に配置することで、印刷がこすれたり、消えたりするのを抑制できる。剥離層１３は、例えば、印刷により形成される。
【００３６】
中間層１４は、例えば、ポリエチレンテレフタレート（ＰＥＴ）、延伸ナイロン（ＯＮＹ）等により形成される。中間層１４の内側には、インキにより厚さ約１〜５μｍの第２印刷層１５が形成される。第２印刷層１５は、包装袋１の外部から見て認識できる図柄が形成される。第２印刷層１５は、中間層１４の外側に形成されていてもよい。このとき、第２印刷層１５は、包装袋１の外面に配置される。この場合、第２印刷層１５は、こすれたりすることではがれる場合がある。一方で、使用者が自分の好みに合わせて第２印刷層１５に形成される後述の第２図柄Ｐｔ２を変形させる（削り取る）ことができる。自分なりに変更可能な範囲が広がるため、使用者の利便性を高めることも可能である。
【００３７】
なお、第２印刷層１５の下側に金属箔で形成された金属箔層（不図示）を備えていてもよい。金属箔層は、例えば、アルミニウム箔で形成されたものを挙げることができるが、これに限定されない。金属箔層は多くの樹脂層に比べて、酸素、水蒸気等が透過しにくい。これにより、収容物の酸化等を抑制できる。また、金属箔層は、多くの樹脂層に比べて紫外線の透過率も低い。このことから、紫外線による収容物の劣化を抑制できる。すなわち、金属箔層を備えることで、収容物Ｓを長期間保存することが可能となる。
【００３８】
熱接着性樹脂層１６は例えば厚さ約２５〜１５０μｍの無延伸ポリプロピレン（ＣＰＰ）フィルムにより形成される。また、熱接着性樹脂層１６を直鎖状低密度ポリエチレン（ＬＬＤＰＥ）や低密度ポリエチレン（ＬＤＰＥ）またはそれらのブレンド樹脂（イージーピール）により形成してもよい。
【００３９】
接着層１７および接着層１８は例えばウレタン系等の接着剤から成る。接着層１７を介して基材層１１と剥離層１３とが接着される。また、接着層１８を介して中間層１４と熱接着性樹脂層１６とが接着される。接着層１７および接着層１８による接着は、ドライラミネート法により行われる。しかしながら、これに限定されない。例えば、接着層１７および接着層１８をポリエチレンフィルム等により形成し、エクストルージョンコーター（不図示）等を用いた押出し法により、基材層１１、剥離層１３、中間層１４、熱接着性樹脂層１６を接着してもよい。
【００４０】
接着層１７は、第１印刷層１２を形成した後の基材層１１にドライラミネート法により形成されてもよい。また、基材層１１に接着層１７を形成した後に、第１印刷層１２を形成してもよい。同様に、接着層１８は第２印刷層１５を形成した後の中間層１４にドライラミネート法により形成されてもよい。また、中間層１４に接着層１８を形成した後、第２印刷層１５を形成してもよい。
【００４１】
前面シート１００において、基材層１１、第１印刷層１２及び剥離層を含む積層体を、第１積層体１０１とする。また、中間層１４、第２印刷層１５及び熱接着性樹脂層１６の積層体を、第２積層体１０２とする。
【００４２】
なお、前面シート１００では、剥離層１３は基材層１１に接着されて、中間層１４と剥離する。しかしながら、これに限定されず、剥離層１３に、基材層１１と接着される層と、中間層１４に接着される層とを備え、これらの層同士を上述した方法で固定する構成であってもよい。また、剥離層１３を中間層１４と熱接着性樹脂層１６の間に配置し、中間層１４を基材層１１と剥離するようにしてもよい。
【００４３】
前面部５の切断部７はハーフカット線である。ここで、ハーフカット線とは、積層された前面シート１００において、一部に形成される凹部又は貫通する切断線であって、前面シート１００の全ての層を貫通するものではない形状のものを指す。本実施形態において、前面部５の切断部７は、中間層１４に形成された切断線７０である。
【００４４】
図３に示すように、背面部６を構成する背面シート２００は袋本体２の外側から内側に向かって順に基材層２１、印刷層２２、中間層２３、熱接着性樹脂層２４を積層して形成される。
【００４５】
基材層２１は例えば厚さ約９〜２５μｍの二軸延伸ポリエチレンテレフタレート（ＰＥＴ）フィルムにより形成される。なお、基材層２１として、例えば、一軸または二軸に延伸したポリプロピレン（ＯＰＰ）フィルム、延伸ナイロン（ＯＮＹ）フィルム等の熱可塑性樹脂を用いることができる。
【００４６】
印刷層２２は基材層２１内面の所定位置に配置したインキにより厚さ約１〜５μｍに形成される。印刷層２２は、外から視認される。そのため、印刷層２２には、外から見て認識できる図柄が形成される。なお、印刷層２２に印刷される図柄等は、収容物Ｓの成分表示、製造者の詳細、製造年月日、商品バーコード等を挙げることができる。なお、印刷層２２を基材層２１の外面に設けてもよい。
【００４７】
中間層２３は、例えば、ポリエチレンテレフタレート（ＰＥＴ）、延伸ナイロン（ＯＮＹ）等により形成される。なお、中間層２３にかえて金属箔で形成された金属箔層（不図示）としてもよい。金属箔は、例えば、アルミニウムで形成されたものを挙げることができるが、これに限定されない。金属箔層は多くの樹脂層に比べて、酸素、水蒸気等が透過しにくい。これにより、収容物の酸化等を抑制できる。また、金属箔層は、多くの樹脂層に比べて紫外線の透過率も低い。このことから、紫外線による収容物の劣化を抑制できる。すなわち、金属箔層を備えることで、収容物Ｓを長期間保存することが可能となる。
【００４８】
熱接着性樹脂層２４は例えば厚さ約２５〜１５０μｍの無延伸ポリプロピレン（ＣＰＰ）フィルムにより形成される。また、熱接着性樹脂層２４を直鎖状低密度ポリエチレン（ＬＬＤＰＥ）フィルムや低密度ポリエチレン（ＬＤＰＥ）フィルムにより形成してもよい。また、ポリエチレンフィルムであってもよい。
【００４９】
接着層２５及び接着層２６は例えばウレタン系等の接着剤から成る。ドライラミネート法により、接着層２５を介して基材層２１と中間層２３とが接着される。同様に、ドライラミネート法により、接着層２６を介して中間層２３と熱接着性樹脂層２４とが接着される。なお、これに限定されず、例えば、エクストルージョンコーター（不図示）等を用いた押出し法により接着層２５及び接着層２６にて、基材層２１、中間層２３、熱接着性樹脂層２４を接着してもよい。
【００５０】
接着層２５は、印刷層２２を形成した後の基材層２１にドライラミネート法により形成されてもよい。また、基材層２１に接着層２５を形成した後に、印刷層２２を形成してもよい。
【００５１】
背面部６の切断部７もハーフカット線である。本実施形態において、背面部６の切断部７は、中間層２３に形成された切断線７０である。
【００５２】
本実施形態の包装袋１は、チャック部材３によってリクローズ可能である。しかしながら、これに限定されない。前面シート１００および背面シート２００の少なくとも一方に、例えば、アルミニウム等によりデッドホールド性を付与する。そして、デッドホールド性を利用して、開口をリクローズ可能としてもよい。なお、デッドホールド性とは、例えば、シートの剛性で開口が閉じた状態または開いた状態等の変形状態を維持することができる性質である。また、これら以外にも、開封後にリクローズ可能とできる構成を広く採用することが可能である。
【００５３】
＜包装袋１の使用方法について＞
次に本発明にかかる包装袋の使用方法について、図面を参照して説明する。図４は、本発明にかかる包装袋１の正面図である。図５は、本発明にかかる包装袋１の第１積層体１０１を取り外しいている途中の状態を示す正面図である。図６は、本発明にかかる包装袋１から第１積層体１０１を取り外した状態を示す正面図である。なお、図６は、ノッチ部３２から上の部分を取り外した状態である。すなわち、図６に示す包装袋１は、開封されている状態である。
【００５４】
上述のとおり、包装袋１の前面部５の前面シート１００は、剥離層１３で第１積層体１０１と第２積層体１０２とに分離可能である。第１積層体１０１の基材層１１の下側には、第１印刷層１２が形成されている。基材層１１は、透明である。そのため、包装袋１を使用する使用者は、基材層１１の上から第１印刷層１２に形成された第１図柄Ｐｔ１を視認可能である。また、第１印刷層１２に形成された第１図柄Ｐｔ１は、前側から見える部分の全体に亘って形成された画像を含む。そのため、前側から見たとき、第１印刷層１２に形成された第１図柄Ｐｔ１の後側は見えない。つまり、包装袋１において、第１積層体１０１が取り付けられているとき、第２印刷層１５に形成された第２図柄Ｐｔ２は、第１図柄Ｐｔ１に隠れて見えない。
【００５５】
上述したとおり、第２積層体１０２は背面部６と熱接着にて接着されている。そのため、剥離層１３で剥離することで、第１積層体１０１を第２積層体１０２、すなわち、包装袋１から取り外すことができる。
【００５６】
本実施形態の包装袋１では、前面シート１００の中間層１４および背面シート２００の中間層２３に切断線７０から成る切断部７が形成されている。使用者が、ノッチ部３２の上下を手指で摘持し、上側を手前側に下側を奥側移動させてひねることで、包装袋１は、開封される。次に、包装袋１の開封について説明する。
【００５７】
まず、背面シート２００の切断について説明する。背面シート２００では、中間層２３に切断線７０が形成されている。そして、中間層２３には、接着層２５および接着層２６を介して、それぞれ、基材層２１および熱接着性樹脂層２４が接着されている（図３参照）。そのため、上述のように包装袋１をひねることで、基材層２１および熱接着性樹脂層２４には、切断線７０に沿ってせん断応力が作用する。これにより、基材層２１および熱接着性樹脂層２４は、切断線７０に沿って切断される。
【００５８】
次に、前面シート１００の切断について説明する。前面シート１００では、剥離層１３の第２積層体１０２に含まれる中間層１４に切断線７０が形成されている。中間層１４に接着層１８を介して熱接着性樹脂層１６と接着されている（図２参照）。そのため、上述のようにひねったとき、中間層１４の切断線７０より上方および下方は、互いに切断線７０に沿って前後に変位する。そして、その変位が熱接着性樹脂層１６に伝達され、切断線７０に沿ってせん断応力が作用する。これにより、熱接着性樹脂層１６は、切断線７０に沿って亀裂が発生する。
【００５９】
一方、第１積層体１０１の剥離層１３は、中間層１４と剥離可能に固定されている。そのため、包装袋１を上述のようにひねった場合、中間層１４の変位は剥離層１３に伝達されにくい。このことから、包装袋１を上述のようにひねったとき、剥離層１３および剥離層１３に接着層１７を介して接着された基材層１１には、せん断応力が作用しにくい。また、中間層１４は変位するが剥離層１３は変位しにくい。この、中間層１４と剥離層１３の変位差によって、剥離層１３と中間層１４との間に互いに剥離する方向の応力が作用し、剥離層１３のおける剥離が開始される。
【００６０】
以上のことから、包装袋１を上述のようにひねったとき、背面シート２００および前面シート１００の第２積層体１０２は、切断線７０に沿って切断される。一方で、剥離層１３が中間層１４から剥離され、第１積層体１０１は第２積層体１０２から剥がされる（図５参照）。なお、ノッチ部３２の先端が緩い（曲線状）であるため、剥離層１３と中間層１４との間に剥離する方向の応力が集中しやすい。このことからも、剥離層１３と中間層１４との剥離が促進されて、第１積層体１０１が第２積層体から取り外される。
【００６１】
以上示したように、本実施形態の包装袋１では、ノッチ部３２の上下を摘持して引裂くことで、前面シート１００の第１積層体１０１は第２積層体１０２から分離可能である。そのため、第１積層体１０１の剥離が容易である。また、第１積層体１０１が取り外されているか否かで、包装袋１が開封か否かを確認できる。そのため、離れた位置から包装袋１を一見しただけで、包装袋１が未開封か否か確認できる。
【００６２】
包装袋１において、第１積層体１０１を取り外すことで、基材層１１および第１印刷層１２が取り外される。図６に示すように、第１積層体１０１が取り外されたことで、使用者は、正面側から第２印刷層１５を視認可能となる。すなわち、使用者は、前面部５側から、第２印刷層１５に形成されている第２図柄Ｐｔ２を視認することができる。
【００６３】
このように、前面部５の第１積層体１０１があるときには、使用者は前側から第１印刷層１２に形成された第１図柄Ｐｔ１を視認可能である。また、第１積層体１０１を剥離し、取り外すことで、使用者は前側から、第２印刷層１５に形成された第２図柄Ｐｔ２を視認可能である。
【００６４】
＜第１図柄Ｐｔ１および第２図柄Ｐｔ２について＞
ここで、第１図柄Ｐｔ１と第２図柄Ｐｔ２について説明する。例えば、包装袋１に収容される収容物Ｓは、体重減少効果を謳うサプリメント、いわゆる、ダイエットサプリメントとする。収容物Ｓであるダイエットサプリメントは、包装袋１に収容された状態で、店舗の販売棚に並べて陳列される。このとき、包装袋１は、前面部５側が表になるように、販売棚に陳列される。つまり、販売棚に陳列された包装袋１は、前側から購入者（使用者）に視認される。そして、開封前の状態の包装袋１は、前面シート１００の第１積層体１０１は取り外されていない。そのため、販売棚に包装袋１が陳列されている場合、購入者は、包装袋１の第１印刷層１２に形成された第１図柄Ｐｔ１を視認する。
【００６５】
通常、販売棚では、商品の種類ごとに、異なるブランドの商品が並んで陳列されることがある。また、販売店によっては、ブランドごとにまとめて販売棚に陳列する場合もある。商品の種類ごとにまとめて陳列される場合、色、デザイン、商品の名称、ブランド名、商品の特徴が目立つ包装袋１が購入されやすい。また、ブランドごとに陳列が行われている）場合であっても、購入者が購入予定の商品を素早く認識可能とするために、包装袋１の前面部５には、商品の名称、商品の特徴が目立つように形成される。また、色やデザインについては、ブランドイメージに合わせたものが選ばれることもある。
【００６６】
つまり、図４に示すように、第１印刷層１２に形成された第１図柄Ｐｔ１は、下地Ｗｐと、商品名Ｐｎと、ブランド名Ｂｎと、第１特徴表示Ｃｈ１と、第２特徴表示Ｃｈ２とを備える。なお、図中において、図柄の各項目については、二点鎖線で囲んで表示しているが、実際の図柄には二点鎖線は表示していない。
【００６７】
下地Ｗｐは、第１図柄Ｐｔ１の背景である。下地Ｗｐは、目立ちやすい色の方が、購入者の目に付きやすい。そのため、第１図柄Ｐｔ１において、下地Ｗｐは、例えば、黄色を挙げることができる。また、ブランドによっては、イメージカラーが設定されている場合もあり、その場合には、ブランドイメージの色が選択される場合がある。さらには、商品自体やシリーズ化された商品の場合にシリーズによってイメージカラーが設定されている場合もあり、その場合も、それらのイメージの色が選択される場合がる。
【００６８】
商品名Ｐｎは、収容物の名前である。例えば、包装袋１が重ねられた場合でも視認されやすくするため、商品名Ｐｎは、第１図柄Ｐｔ１の上部に配置される。また、商品名Ｐｎを見て、購入を決定する購入者もいる。そのため、商品名Ｐｎは、購入者の目につきやすいように、目立つ字体（フォント）、色、大きさである場合がある。図４において、「ＸＹＺサプリ」との文言が商品名Ｐｎである。
【００６９】
ブランド名Ｂｎは、商品である収容物Ｓを製造した製造業者、販売する販売業者等のブランド名やブランドロゴである。ブランド名Ｂｎは、商品名Ｐｎに近接して配置されている。ブランド名Ｂｎには、ブランド名以外にも、商品のシリーズ名を含む場合もある。ブランド名Ｂｎで購入を決定する購入者もいる。そのため、ブランド名Ｂｎも商品名Ｐｎと同様、目立つ字体（フォント）、色、大きさである場合がある。図４において、「ＸＹＺファーマー」との文言がブランド名Ｂｎである。
【００７０】
第１特徴表示Ｃｈ１は、商品である収容物Ｓの特徴のうち、摂取による効果、効能を文字で記載している。図４において、「糖や脂肪の吸収を抑え、体の脂肪の燃焼を助けます」等の文言が第１特徴表示Ｃｈ１である。また、これら以外にも、収容物Ｓに含まれる成分で、日ごろよく目にするもの、たとえば、「ＤＨＡ」、「ＥＰＡ」、「コラーゲン」、「カプサイシン」等が記載されていてもよい。第２特徴表示Ｃｈ２は、購入者にダイエットを想起させる画像、例えば、料理の画像等が表示される。
【００７１】
図６に示すように、第２図柄Ｐｔ２は、上部に開口を有する広口瓶Ｂｎ１と、広口瓶Ｂｎ１の開口を閉じる蓋Ｃｐ１の画像となっている。包装袋１は、第１積層体１０１を取り外すことで、第２印刷層１５に形成された第２図柄Ｐｔ２が前側から視認可能となる。そして、中間層１４および熱接着性樹脂層１６が透明である。これにより、使用者は前側から透明の広口瓶Ｂｎ１の内部に、収容物Ｓが収容されているように視認できる。
【００７２】
なお、第２図柄Ｐｔ２は、広口瓶Ｂｎ１および蓋Ｃｐ１に限定されない。例えば、その他の容器の図柄であってもよい。また、容器に限定されず、使用者の持ち物や居室の意匠に対して、バランスよく配置可能な図柄を広く採用できる。例えば、第２図柄Ｐｔ２として、簡素な構成の図柄を挙げることができる。簡素な構成の図柄は、周囲の環境になじみやすく、収容物Ｓを収容する包装袋１として用いやすい。また、逆に、第１図柄Ｐｔ１よりもさらに派手、換言すると、目立つ図柄としてもよい。この場合であっても、商品名Ｐｎ、ブランド名Ｂｎ、第１特徴表示Ｃｈ１および第２特徴表示Ｃｈ２等を表示しない図柄とすることで、他人に収容物Ｓを知られにくい。
【００７３】
第１図柄Ｐｔ１は、販売店において目立つことを優先した図柄である。そのため、第１図柄Ｐｔ１を見ることで、使用者以外の人でも、その収容物Ｓがどのような商品（ここでは、ダイエットサプリメント）であることがわかる。
【００７４】
このようなダイエットサプリメントは、外出先で摂取する場合もあるが、摂取していることを他人に知られたくない場合もある。第１図柄Ｐｔ１が前面部５に形成されている包装袋１を外出先で鞄等から取り出すちと、他の人に摂取しているサプリメントの種類（ダイエットサプリメント）を知られやすくなる。そこで、使用者は、第１積層体１０１を剥して第２図柄Ｐｔ２が視認できるようにした包装袋１を用いる。図６に示すように、第２図柄Ｐｔ２には、商品名Ｐｎ、ブランド名Ｂｎ、第１特徴表示Ｃｈ１および第２特徴表示Ｃｈ２等の、収容物Ｓを特定するような表記が省かれている。これにより、例えば、他人に包装袋１を見られた場合であっても、収容物Ｓを知られにくい。
【００７５】
また、使用者によっては、外出用の鞄の中に入れる持ち物の外見を、同じ系統でまとめている場合がある。このような場合、商品名Ｐｎ等が目立つ第１図柄Ｐｔ１が前面部５に形成された包装袋１では、他の持ち物と視覚的になじみにくい場合がある。図６に示すように、第２図柄Ｐｔ２を簡素な図柄とすることで、使用者の居室や持ち物と視覚的になじみやすい。つまり、前面部５に目立つ図柄の第１図柄Ｐｔ１が表示された包装袋１に抵抗がある場合でも、前面部５に簡素な図柄の第２図柄Ｐｔ２が表示された包装袋１とすることで、使用者の抵抗感を減らすことができる。そのため、使用者は、居室や他の持ち物と視覚的にバランスをとるために、収容物Ｓの容器を入れ替えなくてもよく、手間が省ける。
【００７６】
このような、包装袋１を用いることで、前面に目立つ図柄を表示した状態で販売時可能である。そして、使用者が使用するときには、そのままの図柄で使用することも可能であるとともに、周囲と視覚的になじみやすい簡素な図柄で使用することも可能である。周囲と視覚的になじみやすくするために、収容物Ｓを別の容器に移し替える必要がなく、使用者の利便性を高めることが可能である。
【００７７】
なお、本実施形態では、収容物Ｓとして、サプリメントを挙げているが、これに限定されない。これ以外にも、例えば、ふりかけ、ドレッシング、調味料、乾麺等の乾燥食品、等の食料品を挙げることができる。このような、食糧の場合も、開封後の包装袋１の外見を第２図柄Ｐｔ２とすることで、包装袋１を、居室、例えば、キッチンの内装、調度品と視覚的にバランスよく配置することができる。また、収納物Ｓとしては、ねじ、ナット等の工具、おもちゃ等食糧以外のものも挙げることができる。すなわち、収容物Ｓとして、収容部４に収容可能な大きさのものを採用できる。
【００７８】
また、本実施形態の包装袋１では、中間層１４および熱接着性樹脂層１６が透明樹脂で形成されており、収容物Ｓが前側から視認可能となっている。しかしながら、これに限定されない。例えば、中間層１４を不透明な樹脂で形成する、第２印刷層１５に形成する第２図柄Ｐｔ２で全面塗りつぶすまたは中間層１４と熱接着性樹脂層１６との間に金属箔層等の不透明層を設ける等で収容物Ｓを視認できないようにしてもよい。
【００７９】
＜変形例＞
剥離層１３は、ポリエチレン等から形成されてもよい。このとき、エクストルージョンコーター（不図示）等を用いた押出し法により中間層１４の外側に形成される。ポリエチレンテレフタレート、延伸ナイロン等で形成される中間層１４とポリエチレン等で形成される剥離層１３とは、間にアンカーコート層が無いため接着されず、固定されているだけである。すなわち、剥離層１３に中間層１４から離間する方向の力を加えることで、剥離層１３は中間層１４から剥離することが可能である。この構成であっても上記の構成と同様に、第１積層体１０１と第２積層体１０２とを容易に分離させることが可能である。
【００８０】
＜第２実施形態＞
本発明にかかる包装袋の他の例について図面を参照して説明する。図７は、本発明にかかる包装袋１ｂの他の例の正面図である。図８は、本発明にかかる包装袋１ｂの他の例の第１積層体１０１ｂを剥離した状態を示す正面図である。本実施形態にかかる包装袋１ｂでは、第１積層体１０１ｂが第１積層体１０１と異なるとともに、第１図柄Ｐｔ１ｂ、第２図柄Ｐｔ２ｂおよび第３図柄Ｐｔ３ｂが、第１図柄Ｐｔ１および第２図柄Ｐｔ２と異なる以外、包装袋１と同じである。そのため、包装袋１ｂの包装袋１と実質上同じ部分については、同じ符号を付すとともに、同じ部分の詳細な説明は省略する。
【００８１】
本実施形態の包装袋１ｂに収容される収容物は、例えば、殺虫剤とする。殺虫剤を収容物とする包装袋１ｂの正面側には、第３図柄Ｐｔ３ｂが視認可能である。第３図柄Ｐｔ３ｂは、第１図柄Ｐｔ１ｂとＰｔ２ｂとを組み合わせた図柄である。
【００８２】
第３図柄Ｐｔ３ｂの詳細について説明する。第３図柄Ｐｔ３ｂは、第２図柄Ｐｔ２ｂの前面に第１図柄Ｐｔ１ｂを重ねて構成される。そして、第１図柄Ｐｔ１ｂは、下地Ｗｐと、ブランド名Ｂｎと、第２特徴表示Ｃｈ２と、第１窓部Ｗｄ１と、第２窓部Ｗｄ２とを備える。下地Ｗｐ、ブランド名Ｂｎおよび第２特徴表示Ｃｈ２は、第１図柄Ｐｔ１の下地Ｗｐ、ブランド名Ｂｎおよｓび第２特徴表示Ｃｈ２と同じである。
【００８３】
第１図柄Ｐｔ１ｂの第１窓部Ｗｄ１および第２窓部Ｗｄ２は、下地Ｗｐの一部を透明にした構成である。第１図柄Ｐｔ１ｂでは、第１窓部Ｗｄ１および第２窓部Ｗｄ２は、前側から後側を視認可能な窓である。すなわち、第１窓部Ｗｄ１および第２窓部Ｗｄ２は、視認可能部の一例である。
【００８４】
図８に示すように、第２図柄Ｐｔ２ｂは、蓋部材が広口瓶Ｂｎ１と、広口瓶Ｂｎ１の開口を閉じる蓋Ｃｐ１の画像となっている。第２図柄Ｐｔ２ｂには、商品名Ｐｎｂと、第１特徴表示Ｃｈ１ｂとを備える。商品名Ｐｎｂおよび第１特徴表示Ｃｈ１ｂは、第1実施形態の包装袋１の第１図柄Ｐｔ１の商品名Ｐｎおよび第１特徴表示Ｃｈ１と同等のものであるが、第２図柄Ｐｔ２ｂに備えられている点で異なる。そして、第１積層体１０１ｂが取り外される前の状態において、商品名Ｐｎｂは第１窓部Ｗｄ１と前後に重なり、第１特徴表示Ｃｈ１ｂは第２窓部Ｗｄ２と前後に重なる。
【００８５】
第１積層体１０１ｂが取り外される前の状態では、第２図柄Ｐｔ２ｂの前方に第１図柄Ｐｔ１ｂが重なる。これにより、包装袋１ｂの前面部５では、第１図柄Ｐｔ１ｂの第１窓部Ｗｄ１から第２図柄Ｐｔ２ｂの商品名Ｐｎｂが視認可能、且つ、第１図柄Ｐｔ１ｂの第２窓部Ｗｄ２から第２図柄Ｐｔ２ｂの第１特徴表示Ｃｈ１ｂが視認可能となる。すなわち、第３図柄Ｐｔ３ｂは、下地Ｗｐと、ブランド名Ｂｎと、商品名Ｐｎｂと、第１特徴表示Ｃｈ１ｂと、第２特徴表示Ｃｈ２とを備える。換言すると、包装袋１ｂの前面部５には、第１図柄Ｐｔ１ｂと第２図柄Ｐｔ２ｂとを重ね合わせた第３図柄Ｐｔ３ｂが形成される。
【００８６】
このように形成することで、前面部５の第１積層体１０１ｂを剥がしたのちにも、第２図柄Ｐｔ２ｂに、商品名Ｐｎｂおよび第１特徴表示Ｃｈ１ｂの表示が残る。
【００８７】
以下に、本実施形態にかかる包装袋１ｂの具体的な使用方法について説明する。上述したとおり、包装袋１ｂに収容される収容物は、殺虫剤とする。販売店において、包装袋１ｂは、第１積層体１０１ｂが剥がされていない状態で販売棚に陳列される。このとき、包装袋１ｂは、正面側から見て、第３図柄Ｐｔ３ｂが視認される。
【００８８】
第３図柄Ｐｔ３ｂは、購入者の目に留まりやすくするため、第２特徴表示Ｃｈ２ｂでは、害虫の画像（絵または写真）が形成される場合がある。このような、害虫は、たとえ写真であっても、居室の見える場所に置きたくないとの使用者の要望がある。また、下地Ｗｐおよびブランド名Ｂｎは、購入時において、購入者（使用者）の目に留まりやすくするためのものであり、購入後、居室内に置いておくときには不要である場合が多い。
【００８９】
一方で、包装袋１ｂを居室内に置いておくときに、包装袋１ｂの収容物が何かわからないと、使用者が収容物を確認しなくてはならない。殺虫剤等のように使用者の身体に悪影響を及ぼす可能性がある収容物を収容している場合、収容物を確認するのが困難な場合がある。そのため、殺虫剤等のように使用者の身体に悪影響を及ぼす可能性がある収容物を収容している場合、前面から見ても中身がしっかりわかる方が好ましい。
【００９０】
そこで、包装袋１ｂでは、収容物が何であるかを示す商品名Ｐｎｂと、注意書きを含む第１特徴表示Ｃｈ１ｂとは、第２図柄Ｐｔ２ｂに配置している。そして、第１積層体１０１ｂを剥がす前の状態でも、前面部５に第１窓部Ｗｄ１を介して商品名Ｐｎｂおよび第２窓部Ｗｄ２から第１特徴表示Ｃｈ１ｂを視認できる第３図柄Ｐｔ３ｂを構成する。包装袋１ｂでは、第１積層体１０１ｂを剥がされたか否かにかかわらず、使用者は、前面部５側から商品名Ｐｎｐおよび第１特徴表示Ｃｈ１ｂを視認可能である。
【００９１】
これにより、包装袋１ｂでは、販売時には、購入者の目につきやすいように、第２特徴表示Ｃｈ２ｂの害虫の画像を前側から視認可能な位置に配置する。そして、包装袋１ｂを居室内に置くときに、第１積層体１０１ｂを取り外すことで、包装袋１ｂから第２特徴表示Ｃｈ２ｂを取り外す。そして、広口瓶Ｂｎ１と、蓋Ｃｐ１とに、商品名Ｐｎｂと、第１特徴表示Ｃｈ１ｂとが表示された第２図柄Ｐｔ２ｂを視認可能な状態で、居室内に配置することができる。
【００９２】
本実施形態の包装袋１ｂでは、第１積層体１０１ｂを取り外す前後で、販売時に購入者の目を引くために必要で且つ居室内に置くとき（使用時）にも必要な情報を残すことができる。そして、包装袋１ｂでは販売時に購入者の目を引くために必要で、居室内に置くとき（使用時）には不要な情報は、第１積層体１０１ｂを取り外すことで、前面から省くことができる。これにより、使用者の利便性、安全性を高めることができる。
【００９３】
なお、本実施形態では、収容物として、殺虫剤を例に説明したがこれに限定されない。例えば、第１実施形態と同様食料品、医薬品等を収容物としてもよい。また、工具、部品、おもちゃ等の食品以外のものを収容物とすることができる。本実施形態にかかる包装袋１ｂは、第１積層体１０１ｂを取り外すことで、購入時に必要な情報で使用時に必要な情報と使用時に不要な情報とを取捨選択して表示することが可能である。
【００９４】
本実施形態にかかる包装袋１ｂでは、販売店から複数個購入し、居室内の棚等に保管ておき、必要なときに使用されるものも含まれる。このような使用方法の場合、包装袋１ｂには、第１積層体１０１ｂの剥離を開始するための剥離開始部（不図示）が備えられていてもよい。剥離開始部は、例えば、剥離層１３と中間層１４との間に配置された、接着しない樹脂のシートであってもよいし、第１積層体１０１ｂの一部の固定を外した構成であってもよい。使用者が、第１積層体１０１ｂを容易に取り外すことができる構成を広く採用できる。このように、包装袋１ｂは、剥離開始部を備えることで、開封することなく、第１積層体１０１ｂを取り外すことが可能である。
【００９５】
なお、本実施形態の包装袋１ｂでは、第１図柄Ｐｔ１ｂの第１窓部Ｗｄ１、第２窓部Ｗｄ２から第２図柄Ｐｔ２ｂを視認可能としていたが、これに限定されない。例えば、第１図柄Ｐｔ１ｂが第２図柄Ｐｔ２ｂの一部を隠すように構成し、第２図柄Ｐｔ２ｂと第１図柄Ｐｔ１ｂとを重ねて、第３図柄Ｐｔ３ｂを構成するようにしてもよい。
【００９６】
これ以外の特徴については、第１実施形態と同じである。
【００９７】
なお、上述の各実施形態では、前面部５の前面シート１００に剥離層１３を備えた構成としているが、これに限定されない。背面部６の背面シート２００に剥離層を備えた構成としてもよい。
【００９８】
なお、上述の各実施形態の包装袋１、１ｂはスタンディングパウチに限定されず、例えば所謂四方シール袋や三方シール袋等により形成されてもよい。
【００９９】
本発明の包装袋１は、前面シート１００と背面シート２００とを重ねて周縁を熱接着し、前面シート１００及び背面シート２００は、基材層１１（２１）と、基材層１１（２１）よりも内側に配置される熱接着性樹脂層１６（２４）と、を備える。前面シート１００は、基材層１１を含む第１積層体１０１と、熱接着性樹脂層１６を含む第２積層体１０２とを分離可能に保持する剥離層１３を備える。第１積層体１０１は、第１図柄Ｐｔ１が形成された第１印刷層１２を含み、第２積層体１０２は、第２図柄Ｐｔ２が形成された第２印刷層１５を含む。第１積層体１０１が第２積層体１０２から取り外されたとき、第１印刷層１２は第１積層体１０１に残留し、第２印刷層１５は第２積層体１０２に残留する。
【０１００】
この構成によると、第１積層体１０１を取り外す前は、外部から第１図柄Ｐｔ１を視認可能であり、第１積層体１０１を取り外すことで、外部から第２図柄Ｐｔ２を視認可能となる。すなわち、第１積層体１０１を取り外すか否かで、包装袋１の外層の図柄を、第１図柄Ｐｔ１または第２図柄Ｐｔ２とすることが可能である。使用者は、必要に応じて第１積層体１０１を取り外すか残すかすることで、包装袋１の外装を第１図柄Ｐｔ１および第２図柄Ｐｔ２から選択することが可能である。包装袋１は、例えば、販売時には、他の商品との区別するための情報を含む目立つ第１図柄Ｐｔ１を外装とすることができる。また、購入後に使用する場合には、周囲の雰囲気に融け込むような落ち付いた第２図柄Ｐｔ２の外装とすることができる。
【０１０１】
これにより、包装袋１の外装を、使用される（配置される）場所に応じて、異なる図柄の外装とすることができる。包装袋１は、その場の雰囲気に合わせて外装を変更することが可能であり、使用者の利便性を高めることができる。
【０１０２】
上記構成において、剥離層１３と前記熱接着性樹脂層１６との間に積層された中間層１４をさらに備え、中間層１４には、中間層１４を上下に分割する切断線７０が形成されていてもよい。このように構成することで、中間層１４の切断線７０より上方と下方とを前後に引きはがすようにひねることで、中間層１４と接着されている層に切断線７０に沿ってせん断応力が発生する。中間層と接着されている層は、切断線７０に沿って切断される。また、中間層１４と接着されない剥離層１３は、このせん断応力によって、剥離層１３が中間層１４から剥離される。これにより、剥離層１３を中間層１４から容易に剥離できる。
【０１０３】
上記構成において、剥離層１３は、第１積層体１０１または第２積層体１０２の一方と一体的に積層されてもよい。
【０１０４】
上記構成において、剥離層１３は、２つの層に分離可能であってもよい。剥離層１３の一方の層は第１積層体１０１と一体的に積層され、他方の層は第２積層体１０２と一体的に積層されてもよい。
【０１０５】
上記構成において、第１図柄Ｐｔ１（Ｐｔ１ｂ）は、第２図柄Ｐｔ２（Ｐｔ２ｂ）の少なくとも一部を隠してもよい。
【０１０６】
上記構成において、第１図柄Ｐｔ１ｂは、少なくとも一部が内側を視認可能な視認可能部Ｗｂ１（Ｗｂ２）を備え、第１図柄Ｐｔ１ｂと第２図柄Ｐｔ２ｂとを重ねて第３図柄Ｐｔ３ｂを構成してもよい。このように構成することで、使用するときと場所によって、外部に表示する情報を取捨選択することが可能である。これにより、使用者の利便性を高めることが可能である。
【０１０７】
上記構成において、第１図柄Ｐｔ１ｂは、視認可能部として透明な窓部Ｗｄ１（Ｗｄ２）を備えてもよい。
【産業上の利用可能性】
【０１０８】
本発明によると、薬品、食品、医薬品、おもちゃ、工具等の収容物を収容する包装袋に利用することができる。
【符号の説明】
【０１０９】
１      包装袋
１ｂ      包装袋
１１      基材層
１２      第１印刷層
１３      剥離層
１４      中間層
１５      第２印刷層
１６      熱接着性樹脂層
１７      接着層
１８      接着層
２      袋本体
２１      基材層
２２      印刷層
２３      中間層
２４      熱接着性樹脂層
２５      接着層
２６      接着層
３      チャック部材
３１      熱接着部
３２      ノッチ部
４      収容部
５      前面部
６      背面部
７      切断部
７０      切断線
８      底面部
１００      前面シート
１０１      第１積層体
１０１ｂ      第１積層体
１０２      第２積層体
２００      背面シート
Ｂｎ      ブランド名
Ｂｎ１      広口瓶
Ｃｈ１      第１特徴表示
Ｃｈ１ｂ      第１特徴表示
Ｃｈ２      第２特徴表示
Ｃｈ２ｂ      第２特徴表示
Ｃｐ１      蓋
Ｐｎ      商品名
Ｐｎｂ      商品名
Ｐｔ１      第１図柄
Ｐｔ１ｂ      第１図柄
Ｐｔ２      第２図柄
Ｐｔ２ｂ      第２図柄
Ｐｔ３ｂ      第３図柄
Ｓ      収容物
Ｗｄ１      第１窓部
Ｗｄ２      第２窓部
Ｗｐ      下地
【図１】
2020083418.tif 000003
【図２】
2020083418.tif 000004
【図３】
2020083418.tif 000005
【図４】
2020083418.tif 000006
【図５】
2020083418.tif 000007
【図６】
2020083418.tif 000008
【図７】
2020083418.tif 000009
【図８】
2020083418.tif 000010